(57)【特許請求の範囲】
【請求項１】
基台と、基台の上に設けた透明板からなる展示部と、展示部の上に設けた蓋体とからなり、前記展示部の一辺に、前方に移動させ、かつ水平回動させて開くようにした扉を設けてなる展示ケースにおいて、
前記扉を、蓋体に前後移動可能として設けた上部支持部材と、基台に前後移動可能として設けた下部支持部材とにより支持し、かつこれら上部支持部材と下部支持部材とを、それらが互いに同期して前後方向に移動するように、ワイヤにより互いに連係して、これら上部支持部材及び下部支持部材のいずれか一方に他方を従動させ、さらに前記ワイヤを、一端が前記上部支持部材から前方を向き、かつ他端が前記下部支持部材から後方を向く第１のワイヤと、一端が前記上部支持部材から後方を向き、かつ他端が前記下部支持部材から前方を向く第２のワイヤとにより、ループ状に張設したものとしたことを特徴とする展示ケース。
【請求項２】
ワイヤを、展示部の隅部に設けた上下方向を向く中空の支柱内を貫通させた、請求項１記載の展示ケース。
【発明の詳細な説明】
【０００１】
【発明の属する技術分野】
本発明は、美術館や博物館等において、美術品や文化財などの展示物を陳列するために使用される展示ケース、特に、展示部の四面を透明板とした展示ケースの扉の開閉装置に関する。
【０００２】
【従来の技術】
この種の展示ケースは、図６に示すように、基台(１)と、その上に設けられた四面がガラス板で囲われた展示部(２)と、展示部(２)の上に設けられた蓋体(３)とからなり、展示部(２)の一辺を構成するガラス板からなる扉(４)が、前方に移動して水平回動して開く構造となっている。
【０００３】
従来のこの種の展示ケースとしては、例えば特公平２−１４８４号公報及び特開平１０−２３９４９号公報等に記載されているものがあげられる。
前者では、扉の前後への移動は、上部の蓋体と下部の基台に、各々独立して摺動自在に取り付けられた、上部支持体及び下部支持体とにより行われている。また、後者では、扉の上下部の前後移動機構を垂直杆により連係し、扉の前方への移動を同期させている。
【０００４】
【発明が解決しようとする課題】
しかし、上記前者では、扉の大型化とこれに伴う重量の増加につれて、上部支持体及び下部支持体の動きの追従性が悪化し、扉の前後の移動が円滑に行われないという問題点がある。また、後者では、垂直杆を展示部内部に設ける必要があり、扉の大型化や重量の増加に比例して、上下部の前後移動機構を連係させる垂直杆を、太く剛性の高いものにする必要があるため、展示部内部の見栄えが悪くなるという問題点がある。
【０００５】
本発明は、上述の問題点に鑑み、扉が大型化しても、扉の上下部の前後移動機構の連係に太く剛性の高い垂直杆を用いる必要がなく、従って、展示部内部の見栄えを悪くすることがないようにした展示ケースを提供することを目的としている。
【０００６】
【課題を解決するための手段】
本発明によると、上記課題は、次のようにして解決される。
(１) 基台と、基台の上に設けた透明板からなる展示部と、展示部の上に設けた蓋体とからなり、前記展示部の一辺に、前方に移動させ、かつ水平回動させて開くようにした扉を設けてなる展示ケースにおいて、前記扉を、蓋体に前後移動可能として設けた上部支持部材と、基台に前後移動可能として設けた下部支持部材とにより支持し、かつこれら上部支持部材と下部支持部材とを、それらが互いに同期して前後方向に移動するように、ワイヤにより互いに連係して、これら上部支持部材及び下部支持部材のいずれか一方に他方を従動させ、さらに前記ワイヤを、一端が前記上部支持部材から前方を向き、かつ他端が前記下部支持部材から後方を向く第１のワイヤと、一端が前記上部支持部材から後方を向き、かつ他端が前記下部支持部材から前方を向く第２のワイヤとにより、ループ状に張設したものとする。
【０００７】
(２) 上記(１)項において、ワイヤを、展示部の隅部に設けた上下方向を向く中空の支柱内を貫通させたものとする。
【０００８】
【発明の実施の形態】
図１〜図５は、本発明の一実施形態を示す。
図１に示すように、基台(１)の内部には、前面からハンドル(５)により回転操作できるねじ棒(６)が、支持台(７)に、その中心軸線まわりに回転可能に取り付けられている。
【０００９】
ねじ棒(６)は、移動部材(８)に穿設された雌ねじ孔に螺合されており、ねじ棒(６)の回転により、移動部材(８)は、実線位置から想像線位置まで、前後方向に移動することができる。
【００１０】
移動部材(８)の上端部側面に突設されたピン(９)は、基台(１)に固定された枢支ピン(10)に中間部が枢支されたアーム(11)の下端部に設けられたほぼ上下方向を向く長孔(11a)に係合している。アーム(11)の上端に同様に穿設された長孔(11b)は、展示部(２)の下方に配設された下部支持部材(12)の後端の突出部分に設けられたピン(13)に係合している。
【００１１】
図２に示すように、下部支持部材(12)は、展示部(２)の下方の基台(１)の内部において、左右に離れて配設された２本の前後方向に延びる水平杆(14)を、左右方向に延びる連結杆(15)により連結したものよりなっている。
【００１２】
２本の水平杆(14)は、基台(１)内に固定された案内部材(16)に穿設した前後方向の案内孔内に、前後方向に摺動可能に支持されており、これらの水平杆(14)の前端は、連結部材(17)により互いに連結されている。
【００１３】
連結部材(17)の一端部、すなわち、図２の例では左端部には、アングル材(18)を介して、ヒンジ片(19a)が取り付けられている。ヒンジ片(19a)は、ヒンジピン(19b)を介して、扉(４)の下端に取り付けられたヒンジ片(19c)に枢着されている。
【００１４】
扉(４)は、連結部材(17)の前部に取り付けられたスナッチロック(20)により、開かないように保持されている。
【００１５】
図１及び図２に示すように、下部支持部材(12)の連結杆(15)の適所から上方に突出する突出部(15a)には、前後方向の孔(22)が２個穿設されており、ここに、ワイヤ(23)のインナーケーブル(24)が前方及び後方より挿通され、その端部に止着されたワイヤエンド金具(25)は、突出部(15a)の前後面に当接している。
【００１６】
ワイヤ(23)は、可撓性のインナーケーブル(24)を可撓性のアウターチューブ(26)内に軸線方向に滑動可能に挿入したもので、アウターチューブ(26)の各端末は、図１及び図４に示すように、適宜の固定部分(28)に固定されている。
【００１７】
展示部(２)の上部にも、上述の下部支持部材(12)と同様の構成の上部支持部材(21)が設けられており、扉(４)の上端を支持している。
【００１８】
上部支持部材(21)と下部支持部材(12)とを連結するワイヤ(23)は、一端が上部支持部材(21)から前方を、他端が下部支持部材(12)から後方を向く第１のワイヤ(23a)と、一端が上部支持部材(21)から後方を、かつ他端が下部支持部材(12)から前方を向く第２のワイヤ(23b)とにより、ループ状に張設したものとされている。
【００１９】
これら第１及び第２のワイヤ(23a)(23b)は、図１及び図２に示すように、展示部(２)の隅部に設けた中空の支柱(27)内へ挿通して、展示部(２)の上下部間に敷設されている。
【００２０】
扉(４)の開閉操作に当たっては、まずハンドル(５)を基台(１)の前面から挿入して、ねじ棒(６)の端部に係合させ、ハンドル(５)を図示矢印のように回転させることにより、ねじ棒(６)を、その中心軸線まわりに回転させ、アーム(11)を実線位置から想像線位置まで揺動させる。
【００２１】
アーム(11)の上端により、下部支持部材(12)は前方へ移動させられ、この運動は、ワイヤ(23)を介して上部支持部材(21)にも伝えられて、上部支持部材(21)も同じだけ前方に移動させられる。この上下部支持部材(12)(21)の前方移動により、扉(４)は想像線位置まで前方に押し出される。
【００２２】
ついで、図２に示すスナッチロック(20)を解除すると、扉(４)は、図５に示す１８０度回動位置まで、大きく回動させることができるようになる。この際、扉(４)は前もって大きく前進させられているので、展示部(２)の前面との空間は、扉(４)の１８０度回動を許容するのに充分となっている。
扉(４)を閉じる場合は、上述と逆の操作を行なえばよい。
【００２３】
【発明の効果】
請求項１記載の発明によると、上下部支持部材の移動を連動させるのに、太くて剛性の高い垂直杆を必要とせず、ワイヤを用いて、これを展示部の隅部を通すだけで、上下部支持部材を連係させることができ、展示部の内部の見栄えを良くすることができる。
しかも、ワイヤは、上部支持部材と下部支持部材を前後方向に牽引するので、複雑なモーメントが作用せず、そのため、簡単な構造で扉の前後移動量を等量とすることができる。また、扉が大型化し重量が増加しても、扉の開閉作業を容易に行える。
さらに、ワイヤを２本に分割することにより、組立作業やメンテナンスが容易となる。
【００２４】
請求項２記載の発明によると、展示部内部に立設される垂直杆に代わるワイヤを、展示部の隅部に設けた支柱内に目立たないように収容することができる。
【図面の簡単な説明】
【図１】  本発明の展示ケースの一実施形態の概略縦断側面図である。
【図２】  同じく下部支持部材の詳細を示す展示ケースの概略横断平面図である。
【図３】  扉の上部ヒンジ部分を示す部分拡大斜視図である。
【図４】  ワイヤの取付部分を示す部分拡大斜視図である。
【図５】  扉の回動状態を示す展示ケースの概略横断平面図である。
【図６】  展示ケースの斜視図である。
【符号の説明】
(１)基台
(２)展示部
(３)蓋体
(４)扉
(５)ハンドル
(６)ねじ棒
(７)支持台
(８)移動部材
(９)ピン
(10)枢支ピン
(11)アーム
(11a)(11b)長孔
(12)下部支持部材
(13)ピン
(14)水平杆
(15)連結杆
(16)案内部材
(17)連結部材
(18)アングル部材
(19a)ヒンジ片
(19b)ヒンジピン
(19c)ヒンジ片
(20)スナッチロック
(21)上部支持部材
(22)孔
(23)ワイヤ
(23a)第１のワイヤ
(23b)第２のワイヤ
(24)インナーケーブル
(25)ワイヤエンド金具
(26)アウターチューブ
(27)支柱
(28)固定部分
【図１】
0004445614.tif 000002
【図２】
0004445614.tif 000003
【図３】
0004445614.tif 000004
【図４】
0004445614.tif 000005
【図５】
0004445614.tif 000006
【図６】
0004445614.tif 000007